(57)【要約】【課題】本発明は給湯器の制御装置に関するものであり、待機時の消費電力を低減させることである。【解決手段】遠隔制御装置７で給湯器本体１の動作状態を待機状態（運転オフ状態）にしたときには、遠隔制御装置７からの運転オフ指令が通信回路６を介して給湯器制御回路４に伝達され、給湯器制御回路４が駆動電源３を停止状態にし、必要最低限の電力のみの消費となる。また、一定時間遠隔制御装置７の操作がなければ、給湯器制御回路４が駆動電源３を停止状態にし、必要最低限の電力のみの消費となる。【選択図】図１
2006064272.tif 000002
【特許請求の範囲】
【請求項１】
給湯器の構成部品を駆動する駆動回路と、前記駆動回路を制御する給湯器制御回路と、前記給湯器を遠隔制御する遠隔制御装置と、前記給湯器制御回路に接続した通信回路と、前記給湯器制御回路に電源を供給する制御電源と、前記駆動回路に電源を供給する駆動電源とを有し、前記遠隔制御装置で前記給湯器を運転オフ状態にしたときには前記駆動回路の電源供給を停止して電源のロスを低減させることを特徴とする給湯器の制御装置。
【請求項２】
遠隔制御装置の操作が一定時間行われないと、駆動回路への電源供給を停止して電源のロスを低減させることを特徴とする請求項１記載の給湯器の制御装置。
【請求項３】
遠隔制御装置で給湯器を運転オフから運転オン状態にしたときには駆動回路への電源供給を行うことを特徴とする請求項１または２記載の給湯器の制御装置。
【請求項４】
給湯器搭載のセンサー部からの信号により駆動回路への電源供給を行うことを特徴とする請求項１〜３のいずれか１項に記載の給湯器の制御装置。
【請求項５】
駆動電源と制御電源を同一系統と別系統とに切り換え可能とし、給湯器の特性に応じて構成できることを特徴とする請求項１〜４のいずれか１項に記載の給湯器の制御装置。
【発明の詳細な説明】
【技術分野】
【０００１】
本発明は給湯器の電源を制御する、給湯器の制御装置に関するものである。
【背景技術】
【０００２】
従来この種の電源制御は、電源は常に動作状態で遠隔制御装置や給湯器内のセンサーの信号に応じて動作するようになっていた（例えば、特許文献１参照）。
【特許文献１】特開平８−２１０６３６号公報
【発明の開示】
【発明が解決しようとする課題】
【０００３】
しかしながら、従来の給湯器の電源制御では、遠隔制御装置で給湯器本体を待機状態にしたときや、給湯器本体が動作していないときでも、電源は常に動作状態であり必要以上の電力を消費するという課題を有していた。
【０００４】
本発明は、給湯器が動作していないときの電力消費を必要最小限にすることができ、省エネルギーが実現できるとともに使用者の電力負担を軽減することが可能となることを目的としている。また、給湯器への入力操作や、センサー信号入力によって即座に電源供給も可能となることを目的とする。
【課題を解決するための手段】
【０００５】
上記課題を解決するために、給湯器本体が待機状態のときや給湯器本体が動作していないときには、必要最低限の制御回路（例えばマイクロコンピュータ及びその周辺回路）のみに電源を供給し電力の消費を必要最小限にするようにしたものである。
【発明の効果】
【０００６】
給湯器本体が待機状態のときや給湯器本体が動作していないときには、必要最低限の制御回路（例えばマイクロコンピュータ及びその周辺回路）のみに電源を供給し電力の消費を必要最小限にすることができる。
【発明を実施するための最良の形態】
【０００７】
第１の発明は、給湯器の構成部品を駆動する駆動回路と、前記駆動回路を制御する給湯器制御回路と、前記給湯器を遠隔制御する遠隔制御装置と、前記給湯器制御回路に接続した通信回路と、前記給湯器制御回路に電源を供給する制御電源と、前記駆動回路に電源を供給する駆動電源とを有し、前記遠隔制御装置で前記給湯器を運転オフ状態にしたときには前記駆動回路の電源供給を停止して電源のロスを低減し、待機時の消費電力を低減することができる。
【０００８】
第２の発明は、遠隔制御装置の操作が一定時間行われないと、駆動回路への電源供給を停止して電源のロスを低減させることができる。
【０００９】
第３の発明は、特に、第１の発明または第２の発明において、遠隔制御装置で給湯器を運転オフからオン状態にしたときには駆動回路への電源供給を行うことができる。
【００１０】
第４の発明は、特に、第１〜３の発明のいずれかの発明において、給湯器搭載のセンサー部からの信号により駆動回路への電源供給を行うことができる。
【００１１】
第５の発明は、特に、第１〜４の発明のいずれかの発明において、駆動電源と制御電源を同一系統と別系統とに切り換え可能とし、給湯器の特性に応じて構成することができる。
【００１２】
以下、本発明の実施の形態について、図面を参照しながら説明する。なお、この実施の形態によって本発明が限定されるものではない。
【００１３】
（実施の形態１）
図１は本発明の実施の形態１の給湯器の制御装置のブロック図である。
【００１４】
図において、１は給湯器本体、２は給湯器本体１の構成部品を駆動する駆動回路、３は前記駆動回路２に電源を供給する駆動電源、４は前記駆動回路２を制御する給湯器制御回路、５は前記給湯器制御回路４に電源を供給する制御電源、６は前記給湯器制御回路４に接続した通信回路、７は給湯器本体１を遠隔制御する遠隔制御装置である。
【００１５】
次に動作、作用について説明すると、遠隔制御装置７で給湯器本体の動作状態を待機状態（運転オフ状態）にしたときには、遠隔制御装置７からの運転オフ指令が通信回路６を介して給湯器制御回路４に伝達される。そのときは、給湯器制御回路４が駆動電源３を停止状態にし、必要最低限の電力のみの消費となる。また、必要に応じて、制御電源５の一部を停止状態にもできる。
【００１６】
また、一定時間遠隔制御装置７の操作がなければ、給湯器制御回路４が駆動電源３を停止状態にし、必要最低限の電力のみの消費となる。また、制御電源５の一部を停止状態にもできる。
【００１７】
つぎに、遠隔制御装置２で給湯器本体の動作状態を運転オフ状態から運転オン状態にしたときには、通信回路６を介して給湯器制御回路４に運転オン指令が伝達され、駆動電源３および制御電源５の一部が動作状態になることにより、給湯器本体１は遠隔制御装置７や給湯器内の各種センサー（図示はしていない）の信号に応じて所定の動作を行うことができる。
【００１８】
また、給湯器内の各種センサー（図示はしていない）の信号が給湯器制御回路４に伝達されたときには、駆動電源３および制御電源５の一部が動作状態になることにより、給湯器本体１は遠隔制御装置７や他の給湯器内の各種センサー（図示はしていない）の信号に応じて所定の動作を行うことができる。
【００１９】
さらに、駆動回路２の負荷が小さい場合には駆動電源３を使用せずに制御電源５から駆動回路２に電源を供給し、その供給ラインを切替可能とすることで小電力化できる。また、遠隔制御装置７と通信回路６との信号の伝達は、有線でも無線でもかまわない。
【産業上の利用可能性】
【００２０】
以上のように本発明によれば、給湯器本体が待機状態（運転オフ状態）のときは必要最小限の電源のみを動作させることができるので、電力消費を低減することができ、
家庭用から業務用給湯機等の用途に適用できる。
【図面の簡単な説明】
【００２１】
【図１】本発明の実施の形態１における給湯器の制御装置のブロック図
【符号の説明】
【００２２】
１  給湯器本体
２  駆動回路
３  駆動電源
４  給湯器制御回路
５  制御電源
６  通信回路
７  遠隔制御装置
【図１】
2006064272.tif 000003